(57)【要約】  本願の実施例は端末間通信方式で通信を行うシステム伝送の信頼性を実現することのできる通信方法及び装置を提供する。該方法は、第１端末装置が第２端末装置から送信された第１サイドリンク伝送チャネルを受信し、前記第１サイドリンク伝送チャネルは第１メッセージを伝送することに用いられることと、前記第１メッセージに応答して、前記第１端末装置が前記第２端末装置に第２サイドリンク伝送チャネルを送信し、前記第２サイドリンク伝送チャネルは前記第１メッセージのフィードバックメッセージである第２メッセージを伝送することに用いられることと、を含む。
2022500907.tif 000002
【特許請求の範囲】
【請求項１】
通信方法であって、
第１端末装置が第２端末装置から送信された第１サイドリンク伝送チャネルを受信し、前記第１サイドリンク伝送チャネルは第１メッセージを伝送することに用いられることと、
前記第１メッセージに応答して、前記第１端末装置が前記第２端末装置に第２サイドリンク伝送チャネルを送信し、前記第２サイドリンク伝送チャネルは前記第１メッセージのフィードバックメッセージである第２メッセージを伝送することに用いられることと、を含むことを特徴とする通信方法。
【請求項２】
前記第１端末装置が前記第２端末装置に第２サイドリンク伝送チャネルを送信することは、
前記第１端末装置が第１伝送リソースを決定することと、
前記第１端末装置が前記第１伝送リソースにおいて前記第２端末装置に前記第２サイドリンク伝送チャネルを送信することと、を含むことを特徴とする請求項１に記載の方法。
【請求項３】
前記第１端末装置が第１伝送リソースを決定することは、
前記第１端末装置の識別子、
第１端末装置グループのグループ識別子、
前記第１端末装置以外の他の装置が前記第１端末装置に送信した、前記第１伝送リソースを示すための第１指示情報、
予め設定された情報、のうちの少なくとも１つに基づいて、前記第１端末装置が前記第１伝送リソースを決定し、前記第１端末装置グループは前記第１端末装置と前記第２端末装置を含む端末装置グループであることを含むことを特徴とする請求項２に記載の方法。
【請求項４】
前記第１端末装置が第１伝送リソースを決定することは、
前記第１端末装置が第１伝送リソースセットを取得することと、
前記第１端末装置が前記第１伝送リソースセットから前記第１伝送リソースを決定することと、を含むことを特徴とする請求項２に記載の方法。
【請求項５】
前記第１端末装置が前記第１伝送リソースセットから前記第１伝送リソースを決定することは、
前記第１端末装置の識別子、
前記第１端末装置グループのグループ識別子、
前記第１端末装置以外の他の装置が前記第１端末装置に送信した第２指示情報、のうちの少なくとも１つに基づいて、前記第１端末装置が前記第１伝送リソースセットから前記第１伝送リソースを決定することを含むことを特徴とする請求項４に記載の方法。
【請求項６】
前記第１端末装置の識別子は前記第１端末装置グループにおける前記第１端末装置の識別子であり、又は、前記第１端末装置の識別子は前記第１端末装置のセル無線ネットワーク一時識別子である請求項５に記載の方法。
【請求項７】
前記第１端末装置が前記第１伝送リソースセットから前記第１伝送リソースを決定することは、
前記第１端末装置がＮ＿ｋ：Ｎ＿ｋ＝ｆ（ｋ＿ｉｄ，ｇ＿ｉｄ，Ｎ）によって前記第１伝送リソースを決定することを含み、
ｋ＿ｉｄが前記第１端末装置の識別子情報を示し、ｇ＿ｉｄが前記第１端末装置グループのグループ識別子情報を示し、Ｎが前記第１伝送リソースセットにおけるリソースの総数を示し、ｆ（ｘ，ｙ，ｚ）が変数ｘ、ｙ及びｚからなる関数演算を示すことを特徴とする請求項４〜６のいずれか１項に記載の方法。
【請求項８】
前記方法は更に、
前記第２端末装置、第３端末装置又はネットワーク側装置から前記第２指示情報を取得することを含み、前記第３端末装置は前記第１端末装置と前記第２端末装置を除く端末装置であり、
前記第１端末装置が前記第１伝送リソースセットから前記第１伝送リソースを決定することは、
前記第２指示情報に基づいて、前記第１端末装置が前記第１伝送リソースセットから前記第１伝送リソースを決定することを含むことを特徴とする請求項５〜７のいずれか１項に記載の方法。
【請求項９】
前記第２指示情報は前記第１伝送リソースセットにおける前記第１伝送リソースのインデックス情報を含むことを特徴とする請求項５又は８に記載の方法。
【請求項１０】
前記第１伝送リソースセットはプロトコルに従って前記第１端末装置に予め設定したものであることを特徴とする請求項４〜９のいずれか１項に記載の方法。
【請求項１１】
前記方法は更に、
前記第１端末装置が他の装置から第３指示情報を受信し、前記第３指示情報は前記第１伝送リソースセットを示すことに用いられることを含むことを特徴とする請求項４〜９のいずれか１項に記載の方法。
【請求項１２】
前記第３指示情報は更に前記第１端末装置グループのグループ識別子を含み、前記第１伝送リソースセットが前記第１端末装置グループに対応することを示すことに用いられることを特徴とする請求項１１に記載の方法。
【請求項１３】
前記第１伝送リソースセットにおけるリソースは同じ時間ユニット内に位置することを特徴とする請求項４〜１２のいずれか１項に記載の方法。
【請求項１４】
前記第１指示情報が前記第２端末装置又は前記第１端末装置グループにおける第３端末装置から前記第１端末装置に送信される場合、前記第１指示情報は物理サイドリンク制御チャネル（ＰＳＣＣＨ）又は物理サイドリンク共有チャネル（ＰＳＳＣＨ）に搬送されることを特徴とする請求項３に記載の方法。
【請求項１５】
前記第１指示情報がネットワーク装置から前記第１端末装置に送信される場合、前記第１指示情報はダウンリンク制御情報（ＤＣＩ）又は無線リソース制御（ＲＲＣ）シグナリングに搬送されることを特徴とする請求項３に記載の方法。
【請求項１６】
前記第２指示情報が前記第２端末装置又は前記第１端末装置グループにおける第３端末装置から前記第１端末装置に送信される場合、前記第２指示情報は物理サイドリンク制御チャネル（ＰＳＣＣＨ）又は物理サイドリンク共有チャネル（ＰＳＳＣＨ）に搬送されることを特徴とする請求項５〜１３のいずれか１項に記載の方法。
【請求項１７】
前記第２指示情報がネットワーク装置から前記第１端末装置に送信される場合、前記第２指示情報はダウンリンク制御情報（ＤＣＩ）又は無線リソース制御（ＲＲＣ）シグナリングに搬送されることを特徴とする請求項５〜１３のいずれか１項に記載の方法。
【請求項１８】
前記第３指示情報が前記第２端末装置又は前記第１端末装置グループにおける第３端末装置から前記第１端末装置に送信される場合、前記第３指示情報は物理サイドリンク制御チャネル（ＰＳＣＣＨ）又は物理サイドリンク共有チャネル（ＰＳＳＣＨ）に搬送されることを特徴とする請求項１１又は１２に記載の方法。
【請求項１９】
前記第３指示情報がネットワーク装置から前記第１端末装置に送信される場合、前記第３指示情報はダウンリンク制御情報（ＤＣＩ）又は無線リソース制御（ＲＲＣ）シグナリングに搬送されることを特徴とする請求項１１又は１２に記載の方法。
【請求項２０】
前記第２メッセージは肯定応答（ＡＣＫ）／否定応答（ＮＡＣＫ）情報、チャネル品質指示情報、チャネル状態情報、ビーム指示情報、プレコーディングマトリックス指示情報、ランク情報又は電力情報のうちの少なくとも１つを含むことを特徴とする請求項１〜１９のいずれか１項に記載の方法。
【請求項２１】
前記第１サイドリンク伝送チャネルはユニキャスト又はグループキャスト方式で送信されることを特徴とする請求項１〜２０のいずれか１項に記載の方法。
【請求項２２】
通信方法であって、
第２端末装置が第１端末装置に第１サイドリンク伝送チャネルを送信し、前記第１サイドリンク伝送チャネルは第１メッセージを伝送することに用いられることと、
前記第２端末装置が前記第１端末装置から送信された第２サイドリンク伝送チャネルを受信し、前記第２サイドリンク伝送チャネルは前記第１メッセージのフィードバックメッセージである第２メッセージを伝送することに用いられることと、を含むことを特徴とする通信方法。
【請求項２３】
前記第２端末装置が前記第１端末装置から送信された第２サイドリンク伝送チャネルを受信することは、
前記第２端末装置が第１伝送リソースを利用して、前記第１端末装置から送信された第２サイドリンク伝送チャネルを受信することを含むことを特徴とする請求項２２に記載の方法。
【請求項２４】
前記方法は更に、
前記第２端末装置が前記第１端末装置に第１指示情報を送信し、前記第１指示情報は前記第１伝送リソースを示すことに用いられることを含むことを特徴とする請求項２２又は２３に記載の方法。
【請求項２５】
前記第１伝送リソースは第１伝送リソースセットに属することを特徴とする請求項２３に記載の方法。
【請求項２６】
前記方法は更に、
前記第２端末装置が前記第１端末装置に第２指示情報を送信し、前記第２指示情報は前記第１伝送リソースセットにおける前記第１伝送リソースのインデックス情報を含むことを含むことを特徴とする請求項２５に記載の方法。
【請求項２７】
前記方法は更に、
前記第２端末装置が前記第１端末装置に第３指示情報を送信し、前記第３指示情報は前記第１伝送リソースセットを示すことに用いられることを含むことを特徴とする請求項２５又は２６に記載の方法。
【請求項２８】
前記第３指示情報は更に前記第１端末装置グループのグループ識別子を含み、前記第１伝送リソースセットが前記第１端末装置グループに対応することを示すことに用いられることを特徴とする請求項２７に記載の方法。
【請求項２９】
前記方法は更に、
前記第２端末装置がネットワーク側から送信された第４指示情報を受信し、前記第４指示情報は前記第１伝送リソースセットを示すことに用いられることを含むことを特徴とする請求項２３〜２８のいずれか１項に記載の方法。
【請求項３０】
前記第４指示情報は更に前記第１端末装置グループのグループ識別子を含み、前記第１伝送リソースセットが前記第１端末装置グループに対応することを示すことに用いられることを特徴とする請求項２９に記載の方法。
【請求項３１】
前記第１伝送リソースセットにおけるリソースは同じ時間ユニット内に位置することを特徴とする請求項２３〜３０のいずれか１項に記載の方法。
【請求項３２】
前記第１指示情報は物理サイドリンク制御チャネル（ＰＳＣＣＨ）又は物理サイドリンク共有チャネル（ＰＳＳＣＨ）に搬送されることを特徴とする請求項２４に記載の方法。
【請求項３３】
前記第２指示情報は物理サイドリンク制御チャネル（ＰＳＣＣＨ）又は物理サイドリンク共有チャネル（ＰＳＳＣＨ）に搬送されることを特徴とする請求項２６に記載の方法。
【請求項３４】
前記第３指示情報は物理サイドリンク制御チャネル（ＰＳＣＣＨ）又は物理サイドリンク共有チャネル（ＰＳＳＣＨ）に搬送されることを特徴とする請求項２７又は２８に記載の方法。
【請求項３５】
前記第４指示情報はダウンリンク制御情報（ＤＣＩ）又は無線リソース制御（ＲＲＣ）シグナリングに搬送されることを特徴とする請求項２９又は３０に記載の方法。
【請求項３６】
前記フィードバックメッセージは肯定応答（ＡＣＫ）／否定応答（ＮＡＣＫ）情報、チャネル品質指示情報、チャネル状態情報、ビーム指示情報、プレコーディングマトリックス指示情報、ランク情報又は電力情報を含むことを特徴とする請求項２２〜３５のいずれか１項に記載の方法。
【請求項３７】
前記第１サイドリンク伝送チャネルはユニキャスト又はグループキャスト方式で送信されることを特徴とする請求項２２〜３６のいずれか１項に記載の方法。
【請求項３８】
通信方法であって、
ネットワーク装置が第１端末装置グループに第１伝送リソースセットを設定し、前記第１伝送リソースセットは、第１端末装置グループにおける少なくとも１つの第１端末装置がサイドリンク伝送チャネルを介して、グループ内の第２端末装置にフィードバックメッセージを送信することに用いられることを含むことを特徴とする通信方法。
【請求項３９】
前記方法は更に、
前記ネットワーク装置が前記第１端末装置に第２指示情報を送信し、前記第２指示情報は伝送リソースセットにおける第１伝送リソースのインデックスを示すことに用いられ、前記第１伝送リソースは前記第１端末装置がサイドリンク伝送チャネルを介して前記第２端末装置に前記フィードバックメッセージを送信することに用いられることを含むことを特徴とする請求項３８に記載の方法。
【請求項４０】
前記ネットワーク装置が第１端末装置グループに第１伝送リソースセットを設定することは、
前記ネットワーク装置が、前記第１伝送リソースセットを示すための第３指示情報を前記第１端末装置に送信することを含むことを特徴とする請求項３８又は３９に記載の方法。
【請求項４１】
前記第３指示情報は更に前記第１端末装置グループのグループ識別子を含み、前記第１伝送リソースセットが前記第１端末装置グループに対応することを示すことに用いられることを特徴とする請求項４０に記載の方法。
【請求項４２】
前記ネットワーク装置が第１端末装置グループに第１伝送リソースセットを設定することは、
前記ネットワーク装置が、前記第１伝送リソースセットを示すための第４指示情報を前記第２端末装置に送信することを含むことを特徴とする請求項３８〜４１のいずれか１項に記載の方法。
【請求項４３】
前記第４指示情報は更に前記第１端末装置グループのグループ識別子を含み、前記第１伝送リソースセットが前記第１端末装置グループに対応することを示すことに用いられることを特徴とする請求項４２に記載の方法。
【請求項４４】
前記第２指示情報はダウンリンク制御情報（ＤＣＩ）又は無線リソース制御（ＲＲＣ）シグナリングに搬送されることを特徴とする請求項３９に記載の方法。
【請求項４５】
前記第３指示情報はダウンリンク制御情報（ＤＣＩ）又は無線リソース制御（ＲＲＣ）シグナリングに搬送されることを特徴とする請求項４０に記載の方法。
【請求項４６】
前記第４指示情報はダウンリンク制御情報（ＤＣＩ）又は無線リソース制御（ＲＲＣ）シグナリングに搬送されることを特徴とする請求項４２又は４３に記載の方法。
【請求項４７】
端末装置であって、前記端末装置は第１端末装置であり、通信ユニットを備え、前記通信ユニットは、
第２端末装置から送信された、第１メッセージを伝送するための第１サイドリンク伝送チャネルを受信することと、
前記第１メッセージに応答して、第２メッセージを伝送するための第２サイドリンク伝送チャネルを前記第２端末装置に送信し、前記第２メッセージが前記第１メッセージのフィードバックメッセージであることと、に用いられることを特徴とする端末装置。
【請求項４８】
第１伝送リソースを決定することに用いられる処理ユニットを更に備え、
前記通信ユニットは更に、前記第１伝送リソースにおいて前記第２端末装置に前記第２サイドリンク伝送チャネルを送信することに用いられることを特徴とする請求項４７に記載の端末装置。
【請求項４９】
前記処理ユニットは更に、
前記第１端末装置の識別子、
第１端末装置グループのグループ識別子、
前記第１端末装置以外の他の装置が前記第１端末装置に送信した、前記第１伝送リソースを示すための第１指示情報、
予め設定された情報、のうちの少なくとも１つに基づいて、前記第１伝送リソースを決定することに用いられ、
前記第１端末装置グループは前記第１端末装置と前記第２端末装置を含む端末装置グループであることを特徴とする請求項４８に記載の端末装置。
【請求項５０】
前記処理ユニットは更に、
第１伝送リソースセットを取得することと、
前記第１伝送リソースセットから前記第１伝送リソースを決定することと、に用いられることを特徴とする請求項４８に記載の端末装置。
【請求項５１】
前記処理ユニットは更に、
前記第１端末装置の識別子、
前記第１端末装置グループのグループ識別子、
前記第１端末装置以外の他の装置が前記第１端末装置に送信した第２指示情報、のうちの少なくとも１つに基づいて、前記第１伝送リソースセットから前記第１伝送リソースを決定することに用いられることを特徴とする請求項５０に記載の端末装置。
【請求項５２】
前記第１端末装置の識別子は前記第１端末装置グループにおける前記第１端末装置の識別子であり、又は、前記第１端末装置の識別子は前記第１端末装置のセル無線ネットワーク一時識別子である請求項５１に記載の端末装置。
【請求項５３】
前記処理ユニットは更に、
Ｎ＿ｋ：Ｎ＿ｋ＝ｆ（ｋ＿ｉｄ，ｇ＿ｉｄ，Ｎ）によって前記第１伝送リソースを決定することに用いられ、
ｋ＿ｉｄが前記第１端末装置の識別子情報を示し、ｇ＿ｉｄが前記第１端末装置グループのグループ識別子情報を示し、Ｎが前記第１伝送リソースセットにおけるリソースの総数を示し、ｆ（ｘ，ｙ，ｚ）が変数ｘ、ｙ及びｚからなる関数演算を示すことを特徴とする請求項５０〜５２のいずれか１項に記載の端末装置。
【請求項５４】
前記通信ユニットは更に、前記第２端末装置、第３端末装置又はネットワーク側装置から前記第２指示情報を取得することに用いられ、前記第３端末装置は前記第１端末装置と前記第２端末装置を除く端末装置であり、
前記処理ユニットは更に、
前記第２指示情報に基づいて前記第１伝送リソースセットから前記第１伝送リソースを決定することに用いられることを特徴とする請求項５１〜５３のいずれか１項に記載の端末装置。
【請求項５５】
前記第２指示情報は前記第１伝送リソースセットにおける前記第１伝送リソースのインデックス情報を含むことを特徴とする請求項５１又は５４に記載の端末装置。
【請求項５６】
前記第１伝送リソースセットはプロトコルに従って前記第１端末装置に予め設定したものであることを特徴とする請求項５０〜５５のいずれか１項に記載の端末装置。
【請求項５７】
前記通信ユニットは更に、他の装置から第３指示情報を受信することに用いられ、前記第３指示情報は前記第１伝送リソースセットを示すことに用いられることを特徴とする請求項５０〜５５のいずれか１項に記載の端末装置。
【請求項５８】
前記第３指示情報は更に前記第１端末装置グループのグループ識別子を含み、前記第１伝送リソースセットが前記第１端末装置グループに対応することを示すことに用いられることを特徴とする請求項５７に記載の端末装置。
【請求項５９】
前記第１伝送リソースセットにおけるリソースは同じ時間ユニット内に位置することを特徴とする請求項５０〜５８のいずれか１項に記載の端末装置。
【請求項６０】
前記第１指示情報が前記第２端末装置又は前記第１端末装置グループにおける第３端末装置から前記第１端末装置に送信される場合、前記第１指示情報は物理サイドリンク制御チャネル（ＰＳＣＣＨ）又は物理サイドリンク共有チャネル（ＰＳＳＣＨ）に搬送されることを特徴とする請求項４９に記載の端末装置。
【請求項６１】
前記第１指示情報がネットワーク装置から前記第１端末装置に送信される場合、前記第１指示情報はダウンリンク制御情報（ＤＣＩ）又は無線リソース制御（ＲＲＣ）シグナリングに搬送されることを特徴とする請求項４９に記載の端末装置。
【請求項６２】
前記第２指示情報が前記第２端末装置又は前記第１端末装置グループにおける第３端末装置から前記第１端末装置に送信される場合、前記第２指示情報は物理サイドリンク制御チャネル（ＰＳＣＣＨ）又は物理サイドリンク共有チャネル（ＰＳＳＣＨ）に搬送されることを特徴とする請求項５１〜５９のいずれか１項に記載の端末装置。
【請求項６３】
前記第２指示情報がネットワーク装置から前記第１端末装置に送信される場合、前記第２指示情報はダウンリンク制御情報（ＤＣＩ）又は無線リソース制御（ＲＲＣ）シグナリングに搬送されることを特徴とする請求項５１〜５９のいずれか１項に記載の端末装置。
【請求項６４】
前記第３指示情報が前記第２端末装置又は前記第１端末装置グループにおける第３端末装置から前記第１端末装置に送信される場合、前記第３指示情報は物理サイドリンク制御チャネル（ＰＳＣＣＨ）又は物理サイドリンク共有チャネル（ＰＳＳＣＨ）に搬送されることを特徴とする請求項５７又は５８に記載の端末装置。
【請求項６５】
前記第３指示情報がネットワーク装置から前記第１端末装置に送信される場合、前記第３指示情報はダウンリンク制御情報（ＤＣＩ）又は無線リソース制御（ＲＲＣ）シグナリングに搬送されることを特徴とする請求項５７又は５８に記載の端末装置。
【請求項６６】
前記第２メッセージは肯定応答（ＡＣＫ）／否定応答（ＮＡＣＫ）情報、チャネル品質指示情報、チャネル状態情報、ビーム指示情報、プレコーディングマトリックス指示情報、ランク情報又は電力情報のうちの少なくとも１つを含むことを特徴とする請求項４７〜６５のいずれか１項に記載の端末装置。
【請求項６７】
前記第１サイドリンク伝送チャネルはユニキャスト又はグループキャスト方式で送信されることを特徴とする請求項４７〜６６のいずれか１項に記載の端末装置。
【請求項６８】
端末装置であって、前記端末装置は第２端末装置であり、通信ユニットを備え、前記通信ユニットは、
第１メッセージを伝送するための第１サイドリンク伝送チャネルを第１端末装置に送信することと、
前記第１端末装置から送信された、第２メッセージを伝送するための第２サイドリンク伝送チャネルを受信し、前記第２メッセージが前記第１メッセージのフィードバックメッセージであることと、に用いられることを特徴とする端末装置。
【請求項６９】
前記通信ユニットは更に、
第１伝送リソースを利用して前記第１端末装置から送信された第２サイドリンク伝送チャネルを受信することに用いられることを特徴とする請求項６８に記載の端末装置。
【請求項７０】
前記通信ユニットは更に、前記第２端末装置が前記第１端末装置に第１指示情報を送信することに用いられ、前記第１指示情報は前記第１伝送リソースを示すことに用いられることを特徴とする請求項６８又は６９に記載の端末装置。
【請求項７１】
前記第１伝送リソースは第１伝送リソースセットに属することを特徴とする請求項６９に記載の端末装置。
【請求項７２】
前記通信ユニットは更に、前記第１端末装置に第２指示情報を送信することに用いられ、前記第２指示情報は前記第１伝送リソースセットにおける前記第１伝送リソースのインデックス情報を含むことを特徴とする請求項７１に記載の端末装置。
【請求項７３】
前記通信ユニットは更に、前記第１端末装置に第３指示情報を送信することに用いられ、前記第３指示情報は前記第１伝送リソースセットを示すことに用いられることを特徴とする請求項７１又は７２に記載の端末装置。
【請求項７４】
前記第３指示情報は更に前記第１端末装置グループのグループ識別子を含み、前記第１伝送リソースセットが前記第１端末装置グループに対応することを示すことに用いられることを特徴とする請求項７３に記載の端末装置。
【請求項７５】
前記通信ユニットは更に、ネットワーク側から送信された第４指示情報を受信することに用いられ、前記第４指示情報は前記第１伝送リソースセットを示すことに用いられることを特徴とする請求項６９〜７４のいずれか１項に記載の端末装置。
【請求項７６】
前記第４指示情報は更に前記第１端末装置グループのグループ識別子を含み、前記第１伝送リソースセットが前記第１端末装置グループに対応することを示すことに用いられることを特徴とする請求項７５に記載の端末装置。
【請求項７７】
前記第１伝送リソースセットにおけるリソースは同じ時間ユニット内に位置することを特徴とする請求項６９〜７６のいずれか１項に記載の端末装置。
【請求項７８】
前記第１指示情報は物理サイドリンク制御チャネル（ＰＳＣＣＨ）又は物理サイドリンク共有チャネル（ＰＳＳＣＨ）に搬送されることを特徴とする請求項７０に記載の端末装置。
【請求項７９】
前記第２指示情報は物理サイドリンク制御チャネル（ＰＳＣＣＨ）又は物理サイドリンク共有チャネル（ＰＳＳＣＨ）に搬送されることを特徴とする請求項７２に記載の端末装置。
【請求項８０】
前記第３指示情報は物理サイドリンク制御チャネル（ＰＳＣＣＨ）又は物理サイドリンク共有チャネル（ＰＳＳＣＨ）に搬送されることを特徴とする請求項７３又は７４に記載の端末装置。
【請求項８１】
前記第４指示情報はダウンリンク制御情報（ＤＣＩ）又は無線リソース制御（ＲＲＣ）シグナリングに搬送されることを特徴とする請求項７５又は７６に記載の端末装置。
【請求項８２】
前記フィードバックメッセージは肯定応答（ＡＣＫ）／否定応答（ＮＡＣＫ）情報、チャネル品質指示情報、チャネル状態情報、ビーム指示情報、プレコーディングマトリックス指示情報、ランク情報又は電力情報を含むことを特徴とする請求項６８〜８１のいずれか１項に記載の端末装置。
【請求項８３】
前記第１サイドリンク伝送チャネルはユニキャスト又はグループキャスト方式で送信されることを特徴とする請求項６８〜８２のいずれか１項に記載の端末装置。
【請求項８４】
ネットワーク装置であって、通信ユニットを備え、
前記通信ユニットは、第１端末装置グループに第１伝送リソースセットを設定することに用いられ、前記第１伝送リソースセットは第１端末装置グループにおける少なくとも１つの第１端末装置がサイドリンク伝送チャネルを介してグループ内の第２端末装置にフィードバックメッセージを送信することに用いられることを特徴とするネットワーク装置。
【請求項８５】
前記通信ユニットは更に、前記第１端末装置に第２指示情報を送信することに用いられ、前記第２指示情報は伝送リソースセットにおける第１伝送リソースのインデックスを示すことに用いられ、前記第１伝送リソースは前記第１端末装置がサイドリンク伝送チャネルを介して前記第２端末装置に前記フィードバックメッセージを送信することに用いられることを特徴とする請求項８４に記載のネットワーク装置。
【請求項８６】
前記通信ユニットは更に、
前記第１伝送リソースセットを示すための第３指示情報を前記第１端末装置に送信することに用いられることを特徴とする請求項８４又は８５に記載のネットワーク装置。
【請求項８７】
前記第３指示情報は更に前記第１端末装置グループのグループ識別子を含み、前記第１伝送リソースセットが前記第１端末装置グループに対応することを示すことに用いられることを特徴とする請求項８６に記載のネットワーク装置。
【請求項８８】
前記通信ユニットは更に、
前記第１伝送リソースセットを示すための第４指示情報を前記第２端末装置に送信することに用いられることを特徴とする請求項８４〜８７のいずれか１項に記載のネットワーク装置。
【請求項８９】
前記第４指示情報は更に前記第１端末装置グループのグループ識別子を含み、前記第１伝送リソースセットが前記第１端末装置グループに対応することを示すことに用いられることを特徴とする請求項８８に記載のネットワーク装置。
【請求項９０】
前記第２指示情報はダウンリンク制御情報（ＤＣＩ）又は無線リソース制御（ＲＲＣ）シグナリングに搬送されることを特徴とする請求項８５に記載のネットワーク装置。
【請求項９１】
前記第３指示情報はダウンリンク制御情報（ＤＣＩ）又は無線リソース制御（ＲＲＣ）シグナリングに搬送されることを特徴とする請求項８６に記載のネットワーク装置。
【請求項９２】
前記第４指示情報はダウンリンク制御情報（ＤＣＩ）又は無線リソース制御（ＲＲＣ）シグナリングに搬送されることを特徴とする請求項８８又は８９に記載のネットワーク装置。
【請求項９３】
端末装置であって、プロセッサとメモリを備え、該メモリはコンピュータプログラムを記憶することに用いられ、前記プロセッサは前記メモリに記憶されるコンピュータプログラムを呼び出して実行して、請求項１〜３７のいずれか１項に記載の方法を実行することに用いられることを特徴とする端末装置。
【請求項９４】
ネットワーク装置であって、プロセッサとメモリを備え、該メモリはコンピュータプログラムを記憶することに用いられ、前記プロセッサは前記メモリに記憶されるコンピュータプログラムを呼び出して実行して、請求項３８〜４６のいずれか１項に記載の方法を実行することに用いられることを特徴とするネットワーク装置。
【請求項９５】
チップであって、メモリからコンピュータプログラムを呼び出して実行し、前記チップが取り付けられる装置に請求項１〜３７のいずれか１項に記載の方法を実行させるためのプロセッサを備えることを特徴とするチップ。
【請求項９６】
チップであって、メモリからコンピュータプログラムを呼び出して実行し、前記チップが取り付けられる装置に請求項３８〜４６のいずれか１項に記載の方法を実行させるためのプロセッサを備えることを特徴とするチップ。
【請求項９７】
コンピュータプログラムを記憶することに用いられ、前記コンピュータプログラムによってコンピュータが請求項１〜３７のいずれか１項に記載の方法を実行することを特徴とするコンピュータ可読記憶媒体。
【請求項９８】
コンピュータプログラムを記憶することに用いられ、前記コンピュータプログラムによってコンピュータが請求項３８〜４６のいずれか１項に記載の方法を実行することを特徴とするコンピュータ可読記憶媒体。
【請求項９９】
コンピュータプログラム命令を含み、該コンピュータプログラム命令によってコンピュータが請求項１〜３７のいずれか１項に記載の方法を実行することを特徴とするコンピュータプログラム製品。
【請求項１００】
コンピュータプログラム命令を含み、該コンピュータプログラム命令によってコンピュータが請求項３８〜４６のいずれか１項に記載の方法を実行することを特徴とするコンピュータプログラム製品。
【請求項１０１】
コンピュータに請求項１〜３７のいずれか１項に記載の方法を実行させることを特徴とするコンピュータプログラム。
【請求項１０２】
コンピュータに請求項３８〜４６のいずれか１項に記載の方法を実行させることを特徴とするコンピュータプログラム。
【発明の詳細な説明】
【技術分野】
【０００１】
本願の実施例は通信技術分野に関し、具体的に通信方法、端末装置及びネットワーク装置に関する。
【背景技術】
【０００２】
ビークルツーエブリシングシステムはサイドリンク（ＳＬ、Ｓｉｄｅｌｉｎｋ）伝送技術に基づくものであり、端末間直接通信を用いるため、より高いスペクトル効率及びより低い伝送遅延を有する。
【０００３】
新無線（ＮＲ、Ｎｅｗ  Ｒａｄｉｏ）システムにおいて、伝送信頼性への要件がより高い。
【０００４】
端末間通信方式で通信を行うシステム伝送の信頼性をどのように実現するかは早急な解決の待たれる問題である。
【発明の概要】
【発明が解決しようとする課題】
【０００５】
本願の実施例は端末間通信方式で通信を行うシステム伝送の信頼性を実現することのできる通信方法及び装置を提供する。
【課題を解決するための手段】
【０００６】
第１態様では通信方法を提供し、
第１端末装置が第２端末装置から送信された第１サイドリンク伝送チャネルを受信し、前記第１サイドリンク伝送チャネルは第１メッセージを伝送することに用いられることと、
前記第１メッセージに応答して、前記第１端末装置が前記第２端末装置に第２サイドリンク伝送チャネルを送信し、前記第２サイドリンク伝送チャネルは前記第１メッセージのフィードバックメッセージである第２メッセージを伝送することに用いられることと、を含む。
【０００７】
第２態様では通信方法を提供し、
第２端末装置が第１端末装置に第１サイドリンク伝送チャネルを送信し、前記第１サイドリンク伝送チャネルは第１メッセージを伝送することに用いられることと、
前記第２端末装置が前記第１端末装置から送信された第２サイドリンク伝送チャネルを受信し、前記第２サイドリンク伝送チャネルは前記第１メッセージのフィードバックメッセージである第２メッセージを伝送することに用いられることと、を含む。
【０００８】
第３態様では無線通信方法を提供し、
ネットワーク装置が第１端末装置グループに第１伝送リソースセットを設定し、前記第１伝送リソースセットは前記第１端末装置グループにおける少なくとも１つの第１端末装置がグループ内の第２端末装置にフィードバックメッセージを送信することに用いられることを含む。
【０００９】
第４態様では、上記第１態様又は第２態様における方法を実行することに用いられる端末装置を提供する。
【００１０】
具体的に、該端末装置は上記第１態様又は第２態様における方法を実行するための機能モジュールを備える。
【００１１】
第５態様では、上記第３態様における方法を実行することに用いられるネットワーク装置を提供する。
【００１２】
具体的に、該端末装置は上記第３態様における方法を実行するための機能モジュールを備える。
【００１３】
第６態様ではプロセッサとメモリを備える端末装置を提供する。該メモリはコンピュータプログラムを記憶することに用いられ、該プロセッサは該メモリに記憶されるコンピュータプログラムを呼び出して実行して、上記第１態様又は第２態様における方法を実行することに用いられる。
【００１４】
第７態様では、プロセッサとメモリを備えるネットワーク装置を提供する。該メモリはコンピュータプログラムを記憶することに用いられ、該プロセッサは該メモリに記憶されるコンピュータプログラムを呼び出して実行して、上記第３態様における方法を実行することに用いられる。
【００１５】
第８態様では、上記第１態様又は第２態様における方法を実現することに用いられるチップを提供する。
【００１６】
具体的に、該チップは、メモリからコンピュータプログラムを呼び出して実行し、該チップが取り付けられる装置に上記第１態様又は第２態様における方法を実行させるためのプロセッサを備える。
【００１７】
第９態様では、上記第３態様における方法を実現することに用いられるチップを提供する。
【００１８】
具体的に、該チップは、メモリからコンピュータプログラムを呼び出して実行し、該チップが取り付けられる装置に上記第３態様における方法を実行させるためのプロセッサを備える。
【００１９】
第１０態様では、コンピュータプログラムを記憶することに用いられるコンピュータ可読記憶媒体を提供し、該コンピュータプログラムによってコンピュータが上記第１態様又は第２態様における方法を実行する。
【００２０】
第１１態様では、コンピュータプログラムを記憶することに用いられるコンピュータ可読記憶媒体を提供し、該コンピュータプログラムによってコンピュータが上記第３態様における方法を実行する。
【００２１】
第１２態様では、コンピュータプログラム命令を含むコンピュータプログラム製品を提供し、該コンピュータプログラム命令によってコンピュータが上記第１態様又は第２態様における方法を実行する。
【００２２】
第１３態様では、コンピュータプログラム命令を含むコンピュータプログラム製品を提供し、該コンピュータプログラム命令によってコンピュータが上記第３態様における方法を実行する。
【００２３】
第１４態様ではコンピュータプログラムを提供し、コンピュータにおいて実行されるとき、コンピュータが上記第１態様又は第２態様における方法を実行する。
【００２４】
第１５態様ではコンピュータプログラムを提供し、コンピュータにおいて実行されるとき、コンピュータが上記第３態様における方法を実行する。
【発明の効果】
【００２５】
従って、本願の実施例では、第１端末装置は第２端末装置から送信された、第１メッセージを伝送するための第１サイドリンク伝送チャネルを受信した後、前記第１端末装置はフィードバックメッセージを伝送するための第２サイドリンク伝送チャネルを前記第２端末装置に送信する。これにより、第２端末装置は該フィードバックメッセージに基づいて後続のメッセージの伝送を実行でき、端末間通信方式で通信を行うシステムの伝送信頼性を向上させることができる。更に、サイドリンク伝送チャネルを用いてフィードバックメッセージを伝送することは、より高いスペクトル効率及びより低い伝送遅延を有する。
【図面の簡単な説明】
【００２６】
【図１】図１は本願の実施例に係るビークルツーエブリシングにおけるモード３及びモード４の場合のシステムアーキテクチャを示す図である。
【図２】図２は本願の実施例に係る通信方法の模式的なフローチャートである。
【図３】図３は本願の実施例に係る他の通信方法の模式的なフローチャートである。
【図４】図４は本願の実施例に係る他の通信方法の模式的なフローチャートである。
【図５】図５は本願の実施例に係る端末装置の模式的なブロック図である。
【図６】図６は本願の実施例に係る他の端末装置の模式的なブロック図である。
【図７】図７は本願の実施例に係るネットワーク装置の模式的なブロック図である。
【図８】図８は本願の実施例に係る通信装置の模式的なブロック図である。
【図９】図９は本願の実施例に係るチップの模式的なブロック図である。
【図１０】図１０は本願の実施例に係る通信システムの模式的なブロック図である。
【発明を実施するための形態】
【００２７】
以下、本願の実施例の図面を参照しながら、本願の実施例の技術案を説明し、無論、説明される実施例は本願の実施例の一部であり、実施例の全部ではない。本願の実施例に基づいて、当業者が進歩性のある労働を必要とせずに取得する他の実施例は、いずれも本願の保護範囲に属する。
【００２８】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム等に適用されてもよい。
【００２９】
本願の実施例に言及したネットワーク装置は端末装置（通信端末、端末とも称される）と通信する装置であってもよい。ネットワーク装置は特定の地理的領域に通信カバレッジを提供することができ、且つ該カバレッジ領域内の端末装置と通信することができる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）、ＷＣＤＭＡシステムにおける基地局（ＮＢ、ＮｏｄｅＢ）、ＬＴＥシステムにおける発展型基地局（ｅＮＢ又はｅＮｏｄｅＢ、Ｅｖｏｌｕｔｉｏｎａｌ  Ｎｏｄｅ  Ｂ）、新無線システムにおけるｇＮＢ、クラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよい。又は、該ネットワーク装置は移動交換局、中継局、アクセスポイント、車載装置、ウェアラブルデバイス、ハブ、スイッチ、ブリッジ、ルータ、５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００３０】
本願の実施例に言及した端末装置は有線回線を介して接続するもの、例えば公衆電話交換網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者回線（ＤＳＬ、Ｄｉｇｉｔａｌ  Ｓｕｂｓｃｒｉｂｅｒ  Ｌｉｎｅ）、デジタルケーブル、直接ケーブルを介して接続するもの、及び／又は他のデータ接続／ネットワーク、及び／又は無線インターフェース、例えばセルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）例えばＤＶＢ−Ｈネットワークに対するデジタルテレビネットワーク、衛星ネットワーク、ＡＭ−ＦＭ放送送信機を介するもの、及び／又は他の端末装置が通信信号を送受信するように設定される装置、及び／又はモノのインターネット（ＩｏＴ、Ｉｎｔｅｒｎｅｔ  ｏｆ  Ｔｈｉｎｇｓ）装置を含むが、それらに限らない。無線インターフェースを介して通信するように設定される端末装置は「無線通信端末」、「無線端末」又は「モバイル端末」と称されてもよい。モバイル端末の例は衛星又はセルラー電話、セルラー無線電話及びデータ処理、ファックス及びデータ通信機能を組み合わせることのできるパーソナル移動通信システム（ＰＣＳ、Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットへのアクセス、Ｗｅｂブラウザ、メモ帳、カレンダー及び／又は全地球測位システム（ＧＰＳ、Ｇｌｏｂａｌ  Ｐｏｓｉｔｉｏｎｉｎｇ  Ｓｙｓｔｅｍ）受信機を備えてもよいＰＤＡ、並びに通常のラップトップ及び／又はパームトップ受信機又は無線電話送受信機を備える他の電子装置を含むが、それらに限らない。端末装置とはアクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、５Ｇネットワークにおける端末装置又は将来発展するＰＬＭＮにおける端末装置等であってもよい。
【００３１】
第３世代移動体通信システムの標準化プロジェクト（３ＧＰＰ、３ｒｄ  Ｇｅｎｅｒａｔｉｏｎ  Ｐａｒｔｎｅｒｓｈｉｐ  Ｐｒｏｊｅｃｔ）リビジョン１４（Ｒｅｌ−１４）において、ビークルツーエブリシング技術（Ｖ２Ｘ、Ｖｅｈｉｃｌｅ  ｔｏ  Ｅｖｅｒｙｔｈｉｎｇ）に対して２つの伝送モード、即ちモード３及びモード４を定義した。
【００３２】
図１に示すように、モード３において、車載端末の伝送リソースは基地局により割り当てられたものであり、車載端末は基地局により割り当てられたリソースに基づいてサイドリンクにおいてデータの送信を行うが、基地局は端末に一回伝送のためのリソースを割り当ててもよく、端末に半静的伝送のためのリソースを割り当ててもよい。
【００３３】
図１に示すように、モード４において、車載端末はセンシング（ｓｅｎｓｉｎｇ）＋予約（ｒｅｓｅｒｖａｔｉｏｎ）の伝送方式を用いる。車載端末はリソースプールからセンシング方式で利用可能な伝送リソースセットを取得し、端末は該セットから１つのリソースをランダムに選択してデータの伝送を行う。ビークルツーエブリシングシステムにおけるサービスは周期的な特徴を有するため、端末は一般的に半静的伝送方式を用い、即ち端末は１つの伝送リソースを選択した後、複数の伝送周期内に該リソースを継続使用することとなり、それによりリソース再選択及びリソース衝突の確率を低下させる。端末は今回伝送する制御情報に、次回伝送するリソースの情報を含んで予約し、これにより、他の端末は該ユーザーの制御情報を検出することによりこのリソースが該ユーザーに予約・使用されたかどうかを判断でき、リソース衝突を低減する目的を実現する。
【００３４】
ＮＲ−Ｖ２Ｘは様々な伝送方式、例えばユニキャスト（ｕｎｉｃａｓｔ）、グループキャスト（ｇｒｏｕｐｃａｓｔ）、ブロードキャスト（ｂｒｏａｄｃａｓｔ）をサポートすることができる。グループキャスト伝送を行うとき、グループヘッダーが１つあってもよく、残りの端末装置がグループメンバーであってもよく、グループヘッダーがグループメンバーにグループキャストメッセージを送信でき、複数のグループメンバーがグループヘッダーにフィードバック情報を送信する必要があり、グループヘッダーが複数のグループメンバーのフィードバックに基づいて変調及びコーディング方式（ＭＣＳ、Ｍｏｄｕｌａｔｉｏｎ  ａｎｄ  Ｃｏｄｉｎｇ  Ｓｃｈｅｍｅ）の調整、及び再送を必要とするかどうかの判断等を行うことができる。
【００３５】
以下、本願の実施例はどのようにフィードバックメッセージの送信を行うかについての実現方式を提供する。
【００３６】
理解されるように、本願の実施例はビークルツーエブリシングシステムに適用されてもよく、他の端末間（Ｄ２Ｄ、Ｄｅｖｉｃｅ  ｔｏ  Ｄｅｖｉｃｅ）通信システムに適用されてもよく、本願は制限しない。
【００３７】
図２は本願の実施例に係る無線通信方法２００の模式的なフローチャートである。該方法２００は以下の少なくとも一部を含む。
【００３８】
ステップ２１０において、第１端末装置は第２端末装置から送信された第１サイドリンク伝送チャネルを受信し、該第１サイドリンク伝送チャネルは第１メッセージを伝送することに用いられる。
【００３９】
選択肢として、本願の実施例では、第１端末装置と第２端末装置は同じ端末装置グループに属してもよい。１つの端末装置グループにおける端末装置同士が通信可能であり、該１つの端末装置グループは少なくとも１つのグループヘッダー（本願の実施例の第２端末装置又は第３端末装置がグループヘッダーであってもよい）を含んでもよく、該グループヘッダーはグループ内の他のメンバー（例えば、本願の実施例の第１端末装置）にメッセージをグループキャスト又はユニキャストすることができ、該グループヘッダーはグループ内のメンバーに対して管理（例えば、リソースの割り当て及びアプリケーション層のメッセージの通知等）を行うことができる。
【００４０】
選択肢として、端末装置グループのグループ内メンバー（グループヘッダーを含む）はユニキャスト又はグループキャスト方式で他のグループメンバーと通信することができる。グループメンバー間のチャネルはサイドリンク伝送チャネルであってもよく、例えば、物理サイドリンク制御チャネル（ＰＳＣＣＨ、Ｐｈｙｓｉｃａｌ  Ｓｉｄｅｌｉｎｋ  Ｃｏｎｔｒｏｌ  Ｃｈａｎｎｅｌ）、物理サイドリンク共有チャネル（ＰＳＳＣＨ、Ｐｈｙｓｉｃａｌ  Ｓｉｄｅｌｉｎｋ  Ｓｈａｒｅｄ  Ｃｈａｎｎｅｌ）又は物理サイドフィードバックチャネルであってもよい。
【００４１】
選択肢として、グループヘッダーが他のグループメンバーにメッセージを送信するチャネルはＰＳＣＣＨ又はＰＳＳＣＨであってもよく、他のグループメンバーがグループヘッダーにメッセージを送信するチャネルはＰＳＳＣＨであってもよく、グループメンバー同士がメッセージを送信するチャネルはＰＳＳＣＨであってもよい。
【００４２】
選択肢として、該第１サイドリンク伝送チャネルは参照信号を伝送することに用いられ、該第１端末装置は該第１サイドリンク伝送チャネルに基づいてチャネルの測定、例えばチャネル状態、チャネル品質、参照信号受信電力（ＲＳＲＰ、Ｒｅｆｅｒｅｎｃｅ  Ｓｉｇｎａｌ  Ｒｅｃｅｉｖｅｄ  Ｐｏｗｅｒ）、受信信号強度指示（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）等の測定を行う。
【００４３】
選択肢として、本願の実施例では、１つの端末装置は複数の端末装置グループに属してもよく、該１つの端末装置グループは該複数の端末装置グループのうちのグループヘッダーとされてもよく、又は、一部の端末装置グループのうちのグループヘッダーとされてもよく、又は、該複数の端末装置グループのうちのグループヘッダーとされない。
【００４４】
選択肢として、本願の実施例では、端末装置グループにおけるグループメンバー（グループヘッダーを含む）同士が通信を行うとき、グループ識別子を含んでもよい。
【００４５】
選択肢として、本願の実施例では、第１端末装置と第２端末装置はセル内、又はセル外に位置してもよい。
【００４６】
選択肢として、本願の実施例では、該第１サイドリンク伝送チャネルはユニキャスト又はグループキャスト又はブロードキャスト方式で送信されてもよい。
【００４７】
ステップ２２０において、該第１メッセージに応答して、該第１端末装置は該第２端末装置に第２サイドリンク伝送チャネルを送信し、該第２サイドリンク伝送チャネルは該第１メッセージのフィードバックメッセージである第２メッセージを伝送することに用いられる。
【００４８】
選択肢として、本願の実施例では、該フィードバックメッセージは肯定応答（ＡＣＫ、Ａｃｋｎｏｗｌｅｄｇｍｅｎｔ）／否定応答（ＮＡＣＫ、Ｎｅｇａｔｉｖｅ  ＡＣＫｎｏｗｌｅｄｇｍｅｎｔ）情報、チャネル品質指示情報、チャネル状態情報、ビーム指示情報、プレコーディングマトリックス指示情報、ランク情報又は電力情報のうちの少なくとも１つを含む。
【００４９】
例えば、第１メッセージにおいてデータを送信するとき、第１端末装置は該データが受信されたかどうかを示すＡＣＫ又はＮＡＣＫ情報を第２端末装置にフィードバックすることができる。
【００５０】
例えば、第１メッセージにおいて参照信号（例えば、同期信号ブロック等）を送信してもよく、このとき、第２端末装置は該参照信号に基づいてチャネル品質又はチャネル状態の測定を行って、チャネル品質指示情報を第１端末装置にフィードバックすることができる。
【００５１】
例えば、第２端末装置はマルチビーム方式で第１メッセージを送信してもよく、この場合、第１端末装置はビーム測定を行って、良好なビームを第２端末装置にフィードバックすることができる。
【００５２】
例えば、第１端末装置は受信された第１メッセージによって、第２端末装置がこれからメッセージを送信する所望の電力を示し得る電力情報をフィードバックすることができる。
【００５３】
例えば、第１端末装置は受信された第１メッセージによって、第２端末装置がこれからメッセージを送信するために用いる所望のプレコーディングマトリックス又はランク等を示すプレコーディングマトリックス指示情報又はランク情報をフィードバックすることができる。
【００５４】
選択肢として、該第２サイドリンク伝送チャネルは前記第２メッセージを搬送する１つのシーケンスを伝送することに用いられる。例えば、第１端末装置は第２端末装置から送信された第１メッセージを受信し、第１端末装置は第２端末装置にＡＣＫ又はＮＡＣＫメッセージ、即ち第２メッセージを送信する。第１端末装置はＡＣＫ又はＮＡＣＫメッセージを搬送するための１つのシーケンスを第２端末装置に送信することができる。
【００５５】
選択肢として、本願の実施例では、第１端末装置は第１伝送リソースを決定して、該第１伝送リソースにおいて第２端末装置に第２サイドリンク伝送チャネルを送信することができる。
【００５６】
選択肢として、本願の実施例では、前記第１端末装置は、
前記第１端末装置の識別子、
第１端末装置グループのグループ識別子、
前記第１端末装置以外の他の装置が前記第１端末装置に送信した、前記第１伝送リソースを示すための第１指示情報、
予め設定された情報、のうちの少なくとも１つに基づいて、前記第１伝送リソースを決定し、前記第１端末装置グループは前記第１端末装置と前記第２端末装置を含む端末装置グループである。
【００５７】
該他の装置は前記第２端末装置、第３端末装置又はネットワーク装置であってもよい。第１端末装置、第２端末装置及び第３端末装置は同じ端末装置グループに属し、即ちいずれも第１端末装置グループに属してもよい。第３端末装置はグループヘッダーであってもよく、該第３端末装置は第１端末装置が第２端末装置にフィードバックメッセージを送信する第１伝送リソースを割り当てることに用いられてもよい。
【００５８】
前記第１指示情報が前記第２端末装置又は第３端末装置から前記第１端末装置に送信される場合、前記第１指示情報はＰＳＣＣＨ又はＰＳＳＣＨに搬送される。
【００５９】
前記第１指示情報がネットワーク装置から前記第１端末装置に送信される場合、前記第１指示情報はＤＣＩ又はＲＲＣシグナリングに搬送される。
【００６０】
該第１指示情報は第１伝送リソースを示すことに用いられてもよい。１つの実現方式では、該第１指示情報は第１伝送リソースのリソース位置の情報（例えば、使用される時間ユニットインデックス、シンボルインデックス又はサブバンドインデックス等）を含んでもよい。
【００６１】
選択肢として、本願の実施例では、該第１伝送リソースは第１伝送リソースセットに属してもよい。選択肢として、該第１伝送リソースセットは前記第１端末装置グループにおける端末装置が該第２端末装置にフィードバックメッセージを送信することに用いられ、該第１端末装置グループは該第１端末装置を含む。
【００６２】
本願の実施例に言及した第１伝送リソースセットは半静的又は動的に設定したものであってもよい。該第１伝送リソースセットにおけるリソースは周期的なものであってもよく、非周期的なものであってもよい。
【００６３】
理解されるように、該第１伝送リソースセットはフィードバックメッセージの送信に使用されるだけでなく、更に他のメッセージの送信に使用されてもよく、本願の実施例は具体的に制限しない。
【００６４】
更に理解されるように、第１伝送リソースが第１伝送リソースセットに属しても、該第１端末装置は該第１伝送リソースセットが具体的にどの伝送リソースを含むかを把握しなくてもよい。例えば、第２端末装置又はネットワーク装置は第１端末装置に該第１伝送リソースのリソース位置を示すことができ、この場合、第１端末装置は該リソース位置での伝送リソースを利用して第２サイドリンク伝送チャネルの伝送を行うことができる。
【００６５】
又は、該第１端末装置は該第１伝送リソースセットから該第１伝送リソースを決定する。
【００６６】
すなわち、第１端末装置は該第１伝送リソースセットを取得して、該第１伝送リソースセットから該第１伝送リソースを決定することができる。
【００６７】
選択肢として、本願の実施例では、該第１端末装置は、
該第１端末装置の識別子、
前記第１端末装置グループのグループ識別子、
該第１端末装置以外の他の装置（例えば、第２端末装置、第３端末装置又はネットワーク装置）が該第１端末装置に送信した第２指示情報、のうちの少なくとも１つに基づいて、該第１伝送リソースセットから該第１伝送リソースを決定する。第３端末装置は第１端末装置と第２端末装置を除く端末装置であり、第１端末装置、第２端末装置及び第３端末装置は同じ端末装置グループに属し、即ちいずれも第１端末装置グループに属してもよい。
【００６８】
該第１端末装置の識別子は該第１端末装置グループにおける該第１端末装置の識別子であり、又は、該第１端末装置の識別子は該第１端末装置のセル無線ネットワーク一時識別子である。該第１端末装置グループにおける該第１端末装置の識別子はネットワーク側又は該第２端末装置により割り当てられたものであり、該第１端末装置のセル無線ネットワーク一時識別子はネットワーク側装置により割り当てられたものである。例えば、第１端末装置グループは第１端末装置、第２端末装置及び第３端末装置を含み、第２端末装置が該第１端末装置グループのグループヘッダーであり、第１端末装置と第３端末装置が該第１端末装置グループのグループメンバーであり、該該第１端末装置グループにおける該第１端末装置の識別子はグループヘッダー、即ち第２端末装置により割り当てられたものであってもよい。
【００６９】
１つの実現方式では、該第１端末装置はＮ＿ｋ：Ｎ＿ｋ＝ｆ（ｋ＿ｉｄ，ｇ＿ｉｄ，Ｎ）によって該第１伝送リソースを決定することができ、
ｋ＿ｉｄが該第１端末装置の識別子情報（このとき、該識別子情報が第１端末装置グループにおける第１端末装置の識別子であってもよい）を示し、ｇ＿ｉｄが該第１端末装置グループのグループ識別子情報を示し、Ｎが該第１伝送リソースセットにおけるリソースの総数を示し、ｆ（ｘ，ｙ，ｚ）が変数ｘ、ｙ及びｚからなる関数演算を示す。理解されるように、該関数演算は一部の変数のみを含み、例えばｋ＿ｉｄとＮのみを含んでもよい。
【００７０】
従って、前記第１端末は自体の識別子情報及び／又は装置グループ識別子情報に基づいて、第１伝送リソースセットから第１伝送リソースを決定し、異なる端末装置の選択した伝送リソースは異なり、これにより、複数の端末装置のフィードバックリソース間の伝送衝突を回避することができる。
【００７１】
具体的に、該第１伝送リソースセットはＮ個の伝送リソースを含み、番号が［０，Ｎ−１］であり、前記グループはＡ個のメンバーを含み、番号が［０，Ａ−１］であり、Ａ−１≦Ｎであり、０がグループヘッダーを示し、他のグループメンバーの番号が［１，Ａ−１］である。第１端末装置は第１伝送リソースをＮ＿ｋ＝ｍｏｄ（ｋ，Ｎ）として決定し、ｋが第１端末装置のグループ内識別子を示し、Ｎ＿ｋが第１端末装置の決定した第１伝送リソースを示し、ｍｏｄ（）は剰余を求める操作を示す。
【００７２】
例えば、グループ内に８つのメンバー、即ち１つのグループヘッダー及び７つのグループメンバーがあり、グループ内の各メンバーのグループ内識別子が［０，７］であり、グループ内識別子０がグループヘッダーを示し、グループ内識別子１〜７がそれぞれ７つのグループメンバーを示す。グループヘッダーがグループキャストメッセージをグループメンバーに送信し、７つのグループメンバーがグループヘッダーにフィードバック情報を送信することができ、伝送リソースセットに１０個の伝送リソースが含まれる場合、上記公式に基づいて、７つのグループメンバーのフィードバックリソースがそれぞれ第１リソースセットにおける１つ〜７つの伝送リソースに対応することを算出できる。
【００７３】
他の実現方式では、第１端末装置は該第２端末装置又はネットワーク側から第２指示情報を取得し、該第２指示情報に基づいて該第１端末装置は該第１伝送リソースセットから該第１伝送リソースを決定する。
【００７４】
前記第２指示情報は第２端末装置からのものであってもよい。即ち、第２端末装置（グループヘッダー）は前記第１端末装置の使用するフィードバックリソースを示す。第２端末装置は異なるグループメンバーに異なるフィードバックリソースを割り当て、これにより、グループメンバー間のフィードバック情報間の衝突を回避することができる。
【００７５】
具体的に、前記第２端末はＰＳＣＣＨ、ＰＳＳＣＨ等により前記第２指示情報を搬送してもよい。
【００７６】
具体的に、第２端末装置は第１メッセージを送信するとともに、該第２指示情報を送信し、即ち該第２指示情報が第１メッセージに搬送されてもよい。
【００７７】
又は、前記第２指示情報はネットワーク装置からのものであり、即ちネットワーク装置はグループ内メンバーにフィードバックリソースを割り当てる。ネットワーク装置がサイドリンク伝送リソースを割り当てる伝送モードにおいて、ネットワーク装置は第２端末装置にデータを送信する伝送リソースを割り当て、ネットワーク装置は他のグループメンバーにもフィードバック情報を送信するための伝送リソースを割り当てる。ネットワーク装置は異なるグループメンバーに異なる伝送リソースを割り当てることにより、グループメンバーの送信したフィードバック情報間の伝送衝突の問題を回避することができる。具体的に、ネットワーク装置はＤＣＩ、ＲＲＣシグナリング等によって前記第２指示情報を送信することができる。
【００７８】
選択肢として、該第１端末装置がセル内に位置する場合、ネットワーク装置が該第２指示情報を送信してもよく、第１端末装置がセル外に位置する場合、第２端末装置が該第２指示情報を送信してもよい。
【００７９】
選択肢として、該第２指示情報は該第１伝送リソースセットにおける該第１伝送リソースのインデックス情報を含む。これにより、第１端末装置は該インデックス情報に基づいて第１伝送リソースセットから該第１伝送リソースを決定することができる。
【００８０】
選択肢として、該第２指示情報は第１伝送リソースセットの識別子情報又は対応するグループ識別子の情報を含む。
【００８１】
例えば、１つの端末装置が複数の端末装置グループに属する場合、該端末装置が複数の第１伝送リソースセットに対応する可能性もあり、この場合、第２指示情報に第１伝送リソースセットの識別子情報又は対応する端末装置グループの識別子情報を含ませることにより、該第１伝送リソースがどの第１伝送リソースセットに属するか又はどの端末装置グループ間の通信に使用されるかを示すことができる。
【００８２】
選択肢として、本願の実施例では、該第１伝送リソースセットはプロトコルに従って該第１端末装置に予め設定したものであってもよい。
【００８３】
選択肢として、本願の実施例では、該第１端末装置は他の装置（例えば、ネットワーク装置、第２端末装置又は第３端末装置）から、該第１伝送リソースセットを示すための第３指示情報を受信する。
【００８４】
具体的に、第２端末装置は第１メッセージを送信するとともに、該第３指示情報を送信し、即ち該第３指示情報が第１メッセージに搬送されてもよい。
【００８５】
例えば、第２端末装置はグループ内メンバーにデータを送信するとき、該第１伝送リソースセットを示し、例えば、時間ユニットｎにおいてデータを送信して、時間ユニットｎ＋ｋが該第１伝送リソースセットであることを示すことができる。時間ユニットｎ＋ｋにＮ個のサブバンドが含まれており、各サブバンドが１つのフィードバックチャネルとして使用されてもよく、従って、時間ユニットｎ＋ｋにＮ個のフィードバックチャネルの伝送リソースが含まれる。
【００８６】
選択肢として、前記第３指示情報が前記第２端末装置又は前記第３端末装置から前記第１端末装置に送信される場合、前記第３指示情報は物理サイドリンク制御チャネル（ＰＳＣＣＨ）又は物理サイドリンク共有チャネル（ＰＳＳＣＨ）に搬送される。
【００８７】
又は、ネットワーク装置は該第１伝送リソースセットを示す第３指示情報を送信することができる。
【００８８】
例えば、ネットワーク装置は第１端末装置に一連の伝送リソースセットを予め設定してもよく、例えば、各無線フレームにおける最後の時間ユニットを該伝送リソースセットとする。第２端末装置が該無線フレームにおける他の時間ユニットにおいてデータを伝送するとき、グループメンバーはデータを受信した後、該無線フレームにおける最後の時間ユニットを該伝送リソースセットとし、その中から第１伝送リソースを決定し、フィードバック情報を送信する。このとき、１つの時間ユニットに対応するリソースは１つの伝送リソースセットと称されてもよい。ここの伝送リソースセットは周期的な伝送リソースセットと称されてもよい。
【００８９】
又は、第３端末装置は該第１伝送リソースセットを示すための該第３指示情報をグループ内メンバーに送信することができる。第３端末装置はグループヘッダーであってもよい。該第１伝送リソースセットはグループ内メンバーがグループ内の１つ又は複数の端末装置にフィードバックメッセージを送信することに用いられてもよい。
【００９０】
該第３指示情報は更に該端末装置グループのグループ識別子を含み、該第１伝送リソースセットが該端末装置グループに対応することを示すことに用いられる。
【００９１】
例えば、１つの端末装置（例えば、第１端末装置）が複数の端末装置グループに属する場合、第３指示情報には該第３指示情報で示される第１伝送リソースセットがどの端末装置グループ間の通信に使用されるかを示すグループ識別子を含ませてもよい。
【００９２】
該第１伝送リソースセットは第２端末装置が第１端末装置に設定したものである場合、ネットワーク装置は先に第２端末装置に該第１伝送リソースセットを設定してもよく、該第２端末装置は更に該第１伝送リソースセットをグループ内の他のメンバーに設定する。又は、第２端末装置は第１伝送リソースセットを他のグループメンバーに設定せずに、直接に該第１伝送リソースセットに基づいてグループ内の他のメンバーに伝送リソースを設定してもよい。
【００９３】
選択肢として、第１端末装置がセル内に位置する場合、ネットワーク装置が第１端末装置に該第１伝送リソースセットを設定してもよく、第１端末装置がセル外に位置する場合、第２端末装置が第１端末装置に該第１伝送リソースセットを設定してもよい。
【００９４】
選択肢として、該ネットワーク装置はダウンリンク制御情報（ＤＣＩ、Ｄｏｗｎｌｉｎｋ  Ｃｏｎｔｒｏｌ  Ｉｎｆｏｒｍａｔｉｏｎ）又は無線リソース制御（ＲＲＣ、Ｒａｄｉｏ  Ｒｅｓｏｕｒｃｅ  Ｃｏｎｔｒｏｌ）シグナリングによって前記第１指示情報、前記第２指示情報又は前記第３指示情報を伝送してもよい。
【００９５】
選択肢として、本願の実施例では、該第１伝送リソースセットにおけるリソースは同じ時間ユニット内に位置する。
【００９６】
具体的に、グループメンバーはグループヘッダーにフィードバックメッセージを送信するとき、他のグループメンバーから送信されたフィードバックメッセージを受信する必要がないため、半二重の問題がない。従って、すべてのグループメンバーのフィードバックチャネルは同じ時間ユニット内に位置し、半二重の影響を最大限に軽減することができる。
【００９７】
選択肢として、本願の実施例では、該第１伝送リソースの位置する時間ユニットは該第１端末装置が該第１端末装置グループにおける第３端末装置にデータを送信することに用いられるのではなく、該第３端末装置は該第１伝送リソースの位置する時間ユニット内に該第２端末装置にフィードバック情報を送信するいずれか１つの端末装置である。
【００９８】
選択肢として、本願の実施例では、時間ユニットはサブフレーム、スロット、ショート・トランスミッション・タイム・インターバル（ｓＴＴＩ、ｓｈｏｒｔ  Ｔｒａｎｓｍｉｓｓｉｏｎ  Ｔｉｍｅ  Ｉｎｔｅｒｖａｌ）、時間領域シンボルであってもよい。
【００９９】
図３は本願の実施例に係る通信方法３００の模式的なフローチャートである。該方法３００は以下の少なくとも一部を含む。
【０１００】
ステップ３１０において、第２端末装置は第１メッセージを伝送するための第１サイドリンク伝送チャネルを第１端末装置に送信する。
【０１０１】
ステップ３２０において、該第２端末装置は該第１端末装置から送信された第２サイドリンク伝送チャネルを受信し、該第２サイドリンク伝送チャネルは該第１メッセージのフィードバックメッセージである第２メッセージを伝送することに用いられる。
【０１０２】
選択肢として、本願の実施例では、該第２端末装置は第１伝送リソースセットにおけるリソースを利用して、該第１端末装置から送信された第２サイドリンク伝送チャネルを受信する。
【０１０３】
第２端末装置は受信されたフィードバックメッセージのリソース位置に基づいて、フィードバックメッセージがどの端末装置に属するかを決定することができる。このとき、フィードバックメッセージに第１端末装置の識別子情報が含まれなくてもよい。
【０１０４】
例えば、第１端末装置の識別子情報に基づいて、第１端末装置がフィードバックメッセージを送信する伝送リソースが、第１伝送リソースであることを決定できる。この場合、該第１伝送リソースにおいて受信されたフィードバックメッセージは該第１端末装置に属する。
【０１０５】
例えば、第２端末装置はフィードバックメッセージを送信する第１伝送リソースを第１端末装置に示すことができる。この場合、該第１伝送リソースにおいて受信されたフィードバックメッセージは該第１端末装置に属する。
【０１０６】
又は、フィードバックメッセージに第１端末装置の識別子情報が含まれてもよい。このとき、第２端末装置は該フィードバックメッセージに含まれる第１端末装置の識別子情報に基づいて、該フィードバックメッセージが第１端末装置に属すると判断できる。
【０１０７】
選択肢として、本願の実施例では、該第２端末装置は該第１伝送リソースを示すための第１指示情報を該第１端末装置に送信する。
【０１０８】
選択肢として、該第１伝送リソースは第１伝送リソースセットに属する。
【０１０９】
該第１指示情報は第１伝送リソースのリソース位置を含んでもよく、このとき、第１伝送リソースセットは第１端末装置にとって把握可能なものであってもよく、未知のものであってもよい。例えば、該第１指示情報は第１伝送リソースの具体的な時間領域リソースの位置情報及び周波数領域リソースの位置情報を示し、該第１指示情報に基づいて第１伝送リソースを決定することができる。
【０１１０】
選択肢として、本願の実施例では、前記第１指示情報はＰＳＣＣＨ又はＰＳＳＣＨに搬送される。
【０１１１】
選択肢として、本願の実施例では、該第２端末装置は第１伝送リソースの第１伝送リソースセットにおけるインデックスを示すための第２指示情報を該第１端末装置に送信する。
【０１１２】
選択肢として、本願の実施例では、前記第２指示情報はＰＳＣＣＨ又はＰＳＳＣＨに搬送される。
【０１１３】
選択肢として、本願の実施例では、該第２端末装置は該第１伝送リソースセットを示すための第３指示情報を該第１端末装置に送信する。
【０１１４】
該第３指示情報は更に第１端末装置グループのグループ識別子を含み、該第１伝送リソースセットが該第１端末装置グループに対応することを示すことに用いられる。
【０１１５】
選択肢として、本願の実施例では、前記第３指示情報はＰＳＣＣＨ又はＰＳＳＣＨに搬送される。
【０１１６】
選択肢として、本願の実施例では、該第２端末装置はネットワーク側から送信された第４指示情報を受信し、該第４指示情報は該第１伝送リソースセットを示すことに用いられる。
【０１１７】
該第４指示情報は更に該第１端末装置グループのグループ識別子を含み、該第１伝送リソースセットが該第１端末装置グループに対応することを示すことに用いられる。
【０１１８】
選択肢として、本願の実施例では、前記第４指示情報はダウンリンク制御情報（ＤＣＩ）又は無線リソース制御（ＲＲＣ）シグナリングに搬送される。
【０１１９】
選択肢として、本願の実施例では、該第１伝送リソースセットにおけるリソースは同じ時間ユニット内に位置する。
【０１２０】
選択肢として、本願の実施例では、該フィードバックメッセージは肯定応答（ＡＣＫ）／否定応答（ＮＡＣＫ）情報、チャネル品質指示情報、チャネル状態情報、ビーム指示情報、プレコーディングマトリックス指示情報、ランク情報及び電力情報のうちの少なくとも１つを含む。
【０１２１】
選択肢として、本願の実施例では、該第１サイドリンク伝送チャネルはユニキャスト又はグループキャスト方式で送信される。
【０１２２】
図４は本願の実施例に係る通信方法４００の模式的なフローチャートである。該方法４００は以下の少なくとも一部を含む。
【０１２３】
ステップ４１０において、ネットワーク装置は第１端末装置グループに第１伝送リソースセットを設定し、該第１伝送リソースセットは第１端末装置グループにおける少なくとも１つの第１端末装置がサイドリンク伝送チャネルを介してグループ内の第２端末装置にフィードバックメッセージを送信することに用いられる。
【０１２４】
選択肢として、本願の実施例では、該ネットワーク装置は該第１端末装置に第２指示情報を送信し、該第２指示情報は該第１伝送リソースセットにおける第１伝送リソースを示すことに用いられ、該第１伝送リソースは該第１端末装置がサイドリンク伝送チャネルを介して該第２端末装置に該フィードバックメッセージを送信することに用いられる。該第２指示情報は第１伝送リソースセットにおける第１伝送リソースのインデックス情報を含んでもよい。
【０１２５】
選択肢として、本願の実施例では、前記第２指示情報はダウンリンク制御情報（ＤＣＩ）又は無線リソース制御（ＲＲＣ）シグナリングに搬送される。
【０１２６】
選択肢として、本願の実施例では、該ネットワーク装置は該第１伝送リソースセットを示すための第３指示情報を該第１端末装置に送信する。
【０１２７】
該第３指示情報は更に該第１端末装置グループのグループ識別子を含み、該第１伝送リソースセットが該第１端末装置グループに対応することを示すことに用いられる。
【０１２８】
選択肢として、本願の実施例では、前記第３指示情報はダウンリンク制御情報（ＤＣＩ）又は無線リソース制御（ＲＲＣ）シグナリングに搬送される。
【０１２９】
選択肢として、本願の実施例では、該ネットワーク装置は該第１伝送リソースセットを示すための第４指示情報を該第２端末装置に送信する。
【０１３０】
選択肢として、本願の実施例では、該第４指示情報は更に該第１端末装置グループのグループ識別子を含み、該第１伝送リソースセットが該第１端末装置グループに対応することを示すことに用いられる。
【０１３１】
選択肢として、本願の実施例では、前記第４指示情報はダウンリンク制御情報（ＤＣＩ）又は無線リソース制御（ＲＲＣ）シグナリングに搬送される。
【０１３２】
理解されるように、ネットワーク装置は第１伝送リソースセットではなく第１伝送リソースを第１端末装置に示してもよい。このとき、第１伝送リソースセットは第１端末装置に予め設定されてもよく、又は第２端末装置は該第１伝送リソースセットを第１端末装置に設定してもよい。
【０１３３】
以上はそれぞれ第１端末装置、第２端末装置及びネットワーク装置側を主として本願の実施例の通信方法を説明したが、理解されるように、以上の方法２００、方法３００及び方法４００は組み合わせて使用され得る。
【０１３４】
図５は本願の実施例に係る端末装置５００の模式的なブロック図である。該端末装置５００はビークルツーエブリシングにおける無線通信に使用されてもよく、該端末装置５００は第１端末装置である。該端末装置５００は通信ユニット５１０を備え、通信ユニット５１０は、
第２端末装置から送信された、第１メッセージを伝送するための第１サイドリンク伝送チャネルを受信することと、
前記第１メッセージに応答して、第２メッセージを伝送するための第２サイドリンク伝送チャネルを前記第２端末装置に送信し、前記第２メッセージが前記第１メッセージのフィードバックメッセージであることと、に用いられる。
【０１３５】
選択肢として、本願の実施例では、前記端末装置５００は第１伝送リソースを決定するための処理ユニット５２０を更に備え、前記通信ユニット５１０は更に、前記第１伝送リソースにおいて前記第２端末装置に前記第２サイドリンク伝送チャネルを送信することに用いられる。
【０１３６】
選択肢として、本願の実施例では、前記処理ユニット５２０は更に、
前記第１端末装置の識別子、
第１端末装置グループのグループ識別子、
前記第１端末装置以外の他の装置が前記第１端末装置に送信した、前記第１伝送リソースを示すための第１指示情報、
予め設定された情報、のうちの少なくとも１つに基づいて、前記第１伝送リソースを決定することに用いられ、前記第１端末装置グループは前記第１端末装置と前記第２端末装置を含む端末装置グループである。
【０１３７】
選択肢として、本願の実施例では、前記処理ユニット５２０は更に、
第１伝送リソースセットを取得することと、
前記第１伝送リソースセットから前記第１伝送リソースを決定することと、に用いられる。
【０１３８】
選択肢として、本願の実施例では、前記処理ユニット５２０は更に、
前記第１端末装置の識別子、
前記第１端末装置グループのグループ識別子、
前記第１端末装置以外の他の装置が前記第１端末装置に送信した第２指示情報、のうちの少なくとも１つに基づいて、前記第１伝送リソースセットから前記第１伝送リソースを決定することに用いられる。
【０１３９】
選択肢として、本願の実施例では、前記第１端末装置の識別子は前記第１端末装置グループにおける前記第１端末装置の識別子であり、又は、前記第１端末装置の識別子は前記第１端末装置のセル無線ネットワーク一時識別子である。
【０１４０】
選択肢として、本願の実施例では、前記処理ユニット５２０は更に、Ｎ＿ｋ：Ｎ＿ｋ＝ｆ（ｋ＿ｉｄ，ｇ＿ｉｄ，Ｎ）によって前記第１伝送リソースを決定することに用いられ、
ｋ＿ｉｄが前記第１端末装置の識別子情報を示し、ｇ＿ｉｄが前記第１端末装置グループのグループ識別子情報を示し、Ｎが前記第１伝送リソースセットにおけるリソースの総数を示し、ｆ（ｘ，ｙ，ｚ）が変数ｘ、ｙ及びｚからなる関数演算を示す。
【０１４１】
選択肢として、本願の実施例では、前記通信ユニット５１０は更に、前記第２端末装置、第３端末装置又はネットワーク側装置から前記第２指示情報を取得することに用いられ、前記第３端末装置は前記第１端末装置と前記第２端末装置を除く端末装置であり、
前記処理ユニット５２０は更に、
前記第２指示情報に基づいて前記第１伝送リソースセットから前記第１伝送リソースを決定することに用いられる。
【０１４２】
選択肢として、本願の実施例では、前記第２指示情報は前記第１伝送リソースセットにおける前記第１伝送リソースのインデックス情報を含む。
【０１４３】
選択肢として、本願の実施例では、前記第１伝送リソースセットはプロトコルに従って前記第１端末装置に予め設定したものである。
【０１４４】
選択肢として、本願の実施例では、前記通信ユニット５１０は更に、他の装置から第３指示情報を受信することに用いられ、前記第３指示情報は前記第１伝送リソースセットを示すことに用いられる。
【０１４５】
選択肢として、本願の実施例では、前記第３指示情報は更に前記第１端末装置グループのグループ識別子を含み、前記第１伝送リソースセットが前記第１端末装置グループに対応することを示すことに用いられる。
【０１４６】
選択肢として、本願の実施例では、前記第１伝送リソースセットにおけるリソースは同じ時間ユニット内に位置する。
【０１４７】
選択肢として、本願の実施例では、前記第１指示情報が前記第２端末装置又は前記第１端末装置グループにおける第３端末装置から前記第１端末装置に送信される場合、前記第１指示情報は物理サイドリンク制御チャネル（ＰＳＣＣＨ）又は物理サイドリンク共有チャネル（ＰＳＳＣＨ）に搬送される。
【０１４８】
選択肢として、本願の実施例では、前記第１指示情報がネットワーク装置から前記第１端末装置に送信される場合、前記第１指示情報はダウンリンク制御情報（ＤＣＩ）又は無線リソース制御（ＲＲＣ）シグナリングに搬送される。
【０１４９】
選択肢として、本願の実施例では、前記第２指示情報が前記第２端末装置又は前記第１端末装置グループにおける第３端末装置から前記第１端末装置に送信される場合、前記第２指示情報は物理サイドリンク制御チャネル（ＰＳＣＣＨ）又は物理サイドリンク共有チャネル（ＰＳＳＣＨ）に搬送される。
【０１５０】
選択肢として、本願の実施例では、前記第２指示情報がネットワーク装置から前記第１端末装置に送信される場合、前記第２指示情報はダウンリンク制御情報（ＤＣＩ）又は無線リソース制御（ＲＲＣ）シグナリングに搬送される。
【０１５１】
選択肢として、本願の実施例では、前記第３指示情報が前記第２端末装置又は前記第１端末装置グループにおける第３端末装置から前記第１端末装置に送信される場合、前記第３指示情報は物理サイドリンク制御チャネル（ＰＳＣＣＨ）又は物理サイドリンク共有チャネル（ＰＳＳＣＨ）に搬送される。
【０１５２】
選択肢として、本願の実施例では、前記第３指示情報がネットワーク装置から前記第１端末装置に送信される場合、前記第３指示情報はダウンリンク制御情報（ＤＣＩ）又は無線リソース制御（ＲＲＣ）シグナリングに搬送される。
【０１５３】
選択肢として、本願の実施例では、前記第２メッセージは肯定応答（ＡＣＫ）／否定応答（ＮＡＣＫ）情報、チャネル品質指示情報、チャネル状態情報、ビーム指示情報、プレコーディングマトリックス指示情報、ランク情報又は電力情報のうちの少なくとも１つを含む。
【０１５４】
選択肢として、本願の実施例では、前記第１サイドリンク伝送チャネルはユニキャスト又はグループキャスト方式で送信される。
【０１５５】
理解されるように、該端末装置５００は本願の方法実施例における第１端末装置の実現する対応操作を実現することができる。簡潔のために、ここで詳細な説明は省略する。
【０１５６】
図６は本願の実施例に係る端末装置６００の模式的なブロック図である。該端末装置６００はビークルツーエブリシングにおける無線通信に使用されてもよい。該端末装置６００は第２端末装置であり、該端末装置６００は通信ユニット６１０を備え、通信ユニット６１０は、
第１メッセージを伝送するための第１サイドリンク伝送チャネルを第１端末装置に送信することと、
前記第１端末装置から送信された、第２メッセージを伝送するための第２サイドリンク伝送チャネルを受信し、前記第２メッセージが前記第１メッセージのフィードバックメッセージであることと、に用いられる。
【０１５７】
選択肢として、本願の実施例では、前記通信ユニット６１０は更に、第１伝送リソースを利用して前記第１端末装置から送信された第２サイドリンク伝送チャネルを受信することに用いられる。
【０１５８】
選択肢として、本願の実施例では、前記通信ユニット６１０は更に、前記第２端末装置が前記第１端末装置に第１指示情報を送信することに用いられ、前記第１指示情報は前記第１伝送リソースを示すことに用いられる。
【０１５９】
選択肢として、本願の実施例では、前記第１伝送リソースは第１伝送リソースセットに属する。
【０１６０】
選択肢として、本願の実施例では、前記通信ユニット６１０は更に、前記第１端末装置に第２指示情報を送信することに用いられ、前記第２指示情報は前記第１伝送リソースセットにおける前記第１伝送リソースのインデックス情報を含む。
【０１６１】
選択肢として、本願の実施例では、前記通信ユニット６１０は更に、前記第１端末装置に第３指示情報を送信することに用いられ、前記第３指示情報は前記第１伝送リソースセットを示すことに用いられる。
【０１６２】
選択肢として、本願の実施例では、前記第３指示情報は更に前記第１端末装置グループのグループ識別子を含み、前記第１伝送リソースセットが前記第１端末装置グループに対応することを示すことに用いられる。
【０１６３】
選択肢として、本願の実施例では、前記通信ユニット６１０は更に、ネットワーク側から送信された、前記第１伝送リソースセットを示すための第４指示情報を受信することに用いられる。
【０１６４】
選択肢として、本願の実施例では、前記第４指示情報は更に前記第１端末装置グループのグループ識別子を含み、前記第１伝送リソースセットが前記第１端末装置グループに対応することを示すことに用いられる。
【０１６５】
選択肢として、本願の実施例では、前記第１伝送リソースセットにおけるリソースは同じ時間ユニット内に位置する。
【０１６６】
選択肢として、本願の実施例では、前記第１指示情報は物理サイドリンク制御チャネル（ＰＳＣＣＨ）又は物理サイドリンク共有チャネル（ＰＳＳＣＨ）に含まれる。
【０１６７】
選択肢として、本願の実施例では、前記第２指示情報は物理サイドリンク制御チャネル（ＰＳＣＣＨ）又は物理サイドリンク共有チャネル（ＰＳＳＣＨ）に搬送される。
【０１６８】
選択肢として、本願の実施例では、前記第３指示情報は物理サイドリンク制御チャネル（ＰＳＣＣＨ）又は物理サイドリンク共有チャネル（ＰＳＳＣＨ）に搬送される。
【０１６９】
選択肢として、本願の実施例では、前記第４指示情報はダウンリンク制御情報（ＤＣＩ）又は無線リソース制御（ＲＲＣ）シグナリングに搬送される。
【０１７０】
選択肢として、本願の実施例では、前記フィードバックメッセージは肯定応答（ＡＣＫ）／否定応答（ＮＡＣＫ）情報、チャネル品質指示情報、チャネル状態情報、ビーム指示情報、プレコーディングマトリックス指示情報、ランク情報又は電力情報を含む。
【０１７１】
選択肢として、本願の実施例では、前記第１サイドリンク伝送チャネルはユニキャスト又はグループキャスト方式で送信される。
【０１７２】
理解されるように、該端末装置６００は本願の方法実施例における第２端末装置の実現する対応操作を実現することができる。簡潔のために、ここで詳細な説明は省略する。
【０１７３】
図７は本願の実施例に係るネットワーク装置７００の模式的なブロック図である。前記ネットワーク装置７００はビークルツーエブリシングにおける無線通信に使用され、前記ネットワーク装置７００は通信ユニット７１０を備え、
通信ユニット７１０は第１端末装置グループに第１伝送リソースセットを設定することに用いられ、前記第１伝送リソースセットは第１端末装置グループにおける少なくとも１つの第１端末装置がサイドリンク伝送チャネルを介してグループ内の第２端末装置にフィードバックメッセージを送信することに用いられる。
【０１７４】
選択肢として、本願の実施例では、前記通信ユニット７１０は更に、前記第１端末装置に第２指示情報を送信することに用いられ、前記第２指示情報は伝送リソースセットにおける第１伝送リソースのインデックスを示すことに用いられ、前記第１伝送リソースは前記第１端末装置がサイドリンク伝送チャネルを介して前記第２端末装置に前記フィードバックメッセージを送信することに用いられる。
【０１７５】
選択肢として、本願の実施例では、前記通信ユニット７１０は更に、前記第１伝送リソースセットを示すための第３指示情報を前記第１端末装置に送信することに用いられる。
【０１７６】
選択肢として、本願の実施例では、前記第３指示情報は更に前記第１端末装置グループのグループ識別子を含み、前記第１伝送リソースセットが前記第１端末装置グループに対応することを示すことに用いられる。
【０１７７】
選択肢として、本願の実施例では、前記通信ユニット７１０は更に、前記第１伝送リソースセットを示すための第４指示情報を前記第２端末装置に送信することに用いられる。
【０１７８】
選択肢として、本願の実施例では、前記第４指示情報は更に前記第１端末装置グループのグループ識別子を含み、前記第１伝送リソースセットが前記第１端末装置グループに対応することを示すことに用いられる。
【０１７９】
選択肢として、本願の実施例では、前記第２指示情報はダウンリンク制御情報（ＤＣＩ）又は無線リソース制御（ＲＲＣ）シグナリングに搬送される。
【０１８０】
選択肢として、本願の実施例では、前記第３指示情報はダウンリンク制御情報（ＤＣＩ）又は無線リソース制御（ＲＲＣ）シグナリングに搬送される。
【０１８１】
選択肢として、本願の実施例では、前記第４指示情報はダウンリンク制御情報（ＤＣＩ）又は無線リソース制御（ＲＲＣ）シグナリングに搬送される。
【０１８２】
理解されるように、該ネットワーク装置７００は本願の方法実施例におけるネットワーク装置の実現する対応操作を実現することができる。簡潔のために、ここで詳細な説明は省略する。
【０１８３】
図８は本願の実施例に係る通信装置８００の構造模式図である。図８に示される通信装置８００はプロセッサ８１０を備え、プロセッサ８１０はメモリからコンピュータプログラムを呼び出して実行して、本願の実施例の方法を実現することができる。
【０１８４】
選択肢として、図８に示すように、通信装置８００は更にメモリ８２０を備えてもよい。プロセッサ８１０はメモリ８２０からコンピュータプログラムを呼び出して実行して、本願の実施例の方法を実現することができる。
【０１８５】
メモリ８２０はプロセッサ８１０から独立した１つの独立したデバイスであってもよく、プロセッサ６１０に統合されてもよい。
【０１８６】
選択肢として、図８に示すように、通信装置８００は更に送受信機８３０を備えてもよく、プロセッサ８１０は該送受信機８３０と他の装置との通信を制御することができ、具体的に、他の装置に情報又はデータを送信し、又は他の装置から送信された情報又はデータを受信することができる。
【０１８７】
送受信機８３０は送信機と受信機を備えてもよい。送受信機８３０は更にアンテナを備えてもよく、アンテナの数が１つ又は複数であってもよい。
【０１８８】
選択肢として、該通信装置８００は具体的に本願の実施例のネットワーク装置であってもよく、且つ該通信装置８００は本願の実施例の各方法におけるネットワーク装置の実現する対応プロセスを実現することができる。簡潔のために、ここで詳細な説明は省略する。
【０１８９】
選択肢として、該通信装置８００は具体的に本願の実施例の端末装置（例えば、第１端末装置又は第２端末装置）であってもよく、且つ該通信装置８００は本願の実施例の各方法における端末装置の実現する対応プロセスを実現することができる。簡潔のために、ここで詳細な説明は省略する。
【０１９０】
図９は本願の実施例に係るチップの構造模式図である。図９に示されるチップ９００はプロセッサ９１０を備え、プロセッサ９１０はメモリからコンピュータプログラムを呼び出して実行して、本願の実施例の方法を実現することができる。
【０１９１】
選択肢として、図９に示すように、チップ９００は更にメモリ９２０を備えてもよい。プロセッサ９１０はメモリ９２０からコンピュータプログラムを呼び出して実行して、本願の実施例の方法を実現することができる。
【０１９２】
メモリ９２０はプロセッサ９１０から独立した１つの独立したデバイスであってもよく、プロセッサ９１０に統合されてもよい。
【０１９３】
選択肢として、該チップ９００は更に入力インターフェース９３０を備えてもよい。プロセッサ９１０は該入力インターフェース９３０と他の装置又はチップとの通信を制御することができ、具体的に、他の装置又はチップから送信された情報又はデータを取得することができる。
【０１９４】
選択肢として、該チップ９００は更に出力インターフェース９４０を備えてもよい。プロセッサ９１０は該出力インターフェース９４０と他の装置又はチップとの通信を制御することができ、具体的に、他の装置又はチップに情報又はデータを出力することができる。
【０１９５】
選択肢として、該チップは本願の実施例のネットワーク装置に適用されてもよく、且つ該チップは本願の実施例の各方法におけるネットワーク装置の実現する対応プロセスを実現することができる。簡潔のために、ここで詳細な説明は省略する。
【０１９６】
選択肢として、該チップは本願の実施例のモバイル端末／端末装置に適用されてもよく、且つ該チップは本願の実施例の各方法におけるモバイル端末／端末装置の実現する対応プロセスを実現することができる。簡潔のために、ここで詳細な説明は省略する。
【０１９７】
理解されるように、本願の実施例に言及したチップは更にシステムレベルチップ、システムチップ、チップシステム又はシステムオンチップ等と称されてもよい。
【０１９８】
図１０は本願の実施例に係る通信システム１０００の模式的なブロック図である。図１０に示すように、該通信システム１０００は第１端末装置１０１０、第２端末装置１０２０及びネットワーク装置１０３０を備える。
【０１９９】
該第１端末装置１０１０は上記方法における第１端末装置の実現する対応機能を実現することに用いられてもよく、該第２端末装置１０２０は上記方法における第１端末装置の実現する対応機能を実現することに用いられてもよく、該ネットワーク装置１０３０は上記方法におけるネットワーク装置の実現する対応機能を実現することに用いられてもよい。簡潔のために、ここで詳細な説明は省略する。
【０２００】
理解されるように、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完了し、又は復号プロセッサにおけるハードウェア及びソフトウェアモジュールの組み合わせで実行して完了するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０２０１】
理解されるように、本願の実施例では、メモリは揮発性メモリ又は不揮発性メモリであってもよく、又は、揮発性メモリ及び不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。注意されるように、本明細書に説明されるシステム及び方法のメモリはこれらのメモリ及び任意の他の適切なタイプのメモリを含むが、それらに限らないように意図されるものである。
【０２０２】
理解されるように、上記メモリは例示的な説明であって制限的ではない。例えば、本願の実施例のメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本願の実施例のメモリはこれらのメモリ及び任意の他の適切なタイプのメモリを含むが、それらに限らないように意図されるものである。
【０２０３】
本願の実施例はコンピュータプログラムを記憶することに用いられるコンピュータ可読記憶媒体を更に提供する。
【０２０４】
選択肢として、該コンピュータ可読記憶媒体は本願の実施例のネットワーク装置に適用されてもよく、且つ該コンピュータプログラムによってコンピュータが本願の実施例の各方法におけるネットワーク装置の実現する対応プロセスを実行する。簡潔のために、ここで詳細な説明は省略する。
【０２０５】
選択肢として、該コンピュータ可読記憶媒体は本願の実施例のモバイル端末／端末装置に適用されてもよく、且つ該コンピュータプログラムによってコンピュータが本願の実施例の各方法におけるモバイル端末／端末装置の実現する対応プロセスを実行する。簡潔のために、ここで詳細な説明は省略する。
【０２０６】
本願の実施例はコンピュータプログラム命令を含むコンピュータプログラム製品を更に提供する。
【０２０７】
選択肢として、該コンピュータプログラム製品は本願の実施例のネットワーク装置に適用されてもよく、且つ該コンピュータプログラム命令によってコンピュータが本願の実施例の各方法におけるネットワーク装置の実現する対応プロセスを実行する。簡潔のために、ここで詳細な説明は省略する。
【０２０８】
選択肢として、該コンピュータプログラム製品は本願の実施例のモバイル端末／端末装置に適用されてもよく、且つ該コンピュータプログラム命令によってコンピュータが本願の実施例の各方法におけるモバイル端末／端末装置の実現する対応プロセスを実行する。簡潔のために、ここで詳細な説明は省略する。
【０２０９】
本願の実施例は更にコンピュータプログラムを提供する。
【０２１０】
選択肢として、該コンピュータプログラムは本願の実施例のネットワーク装置に適用されてもよく、該コンピュータプログラムがコンピュータにおいて実行されるとき、コンピュータが本願の実施例の各方法におけるネットワーク装置の実現する対応プロセスを実行する。簡潔のために、ここで詳細な説明は省略する。
【０２１１】
選択肢として、該コンピュータプログラムは本願の実施例のモバイル端末／端末装置に適用されてもよく、該コンピュータプログラムがコンピュータにおいて実行されるとき、コンピュータが本願の実施例の各方法におけるモバイル端末／端末装置の実現する対応プロセスを実行する。簡潔のために、ここで詳細な説明は省略する。
【０２１２】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０２１３】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【０２１４】
本願に係るいくつかの実施例では、理解されるように、開示されるシステム、装置及び方法は他の方式で実現されてもよい。例えば、以上に説明される装置実施例は模式的なものに過ぎず、例えば、前記ユニットの区別は論理機能上の区別に過ぎず、実際に実現するとき、他の区別方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０２１５】
分離部材として説明される前記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよい。実際の必要に応じて、その一部又は全部のユニットを選択して本実施例案の目的を実現してもよい。
【０２１６】
また、本願の各実施例では、各機能ユニットは１つの処理ユニットに統合されてもよく、各ユニットは独立して物理的に存在してもよく、２つ以上のユニットは１つのユニットに統合されてもよい。
【０２１７】
前記機能はソフトウェア機能ユニットの形式で実現され、独立した製品として販売又は使用されるときは、１つのコンピュータ可読記憶媒体に記憶されてもよい。このような理解に基づいて、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む１つの記憶媒体に記憶される。上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０２１８】
以上の説明は本願の具体的な実施形態に過ぎず、本願の保護範囲を制限するためのものではない。当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2022500907.tif 000003
【図２】
2022500907.tif 000004
【図３】
2022500907.tif 000005
【図４】
2022500907.tif 000006
【図５】
2022500907.tif 000007
【図６】
2022500907.tif 000008
【図７】
2022500907.tif 000009
【図８】
2022500907.tif 000010
【図９】
2022500907.tif 000011
【図１０】
2022500907.tif 000012
【手続補正書】
【提出日】令和3年3月9日(2021.3.9)
【手続補正１】
【補正対象書類名】明細書
【補正対象項目名】００１２
【補正方法】変更
【補正の内容】
【００１２】
具体的に、該ネットワーク装置は上記第３態様における方法を実行するための機能モジュールを備える。
【手続補正２】
【補正対象書類名】明細書
【補正対象項目名】００４０
【補正方法】変更
【補正の内容】
【００４０】
選択肢として、端末装置グループのグループ内メンバー（グループヘッダーを含む）はユニキャスト又はグループキャスト方式で他のグループメンバーと通信することができる。グループメンバー間のチャネルはサイドリンク伝送チャネルであってもよく、例えば、物理サイドリンク制御チャネル（ＰＳＣＣＨ、Ｐｈｙｓｉｃａｌ  Ｓｉｄｅｌｉｎｋ  Ｃｏｎｔｒｏｌ  Ｃｈａｎｎｅｌ）、物理サイドリンク共有チャネル（ＰＳＳＣＨ、Ｐｈｙｓｉｃａｌ  Ｓｉｄｅｌｉｎｋ  Ｓｈａｒｅｄ  Ｃｈａｎｎｅｌ）又は物理サイドリンクフィードバックチャネルであってもよい。
【手続補正３】
【補正対象書類名】明細書
【補正対象項目名】００７０
【補正方法】変更
【補正の内容】
【００７０】
従って、前記第１端末装置は自体の識別子情報及び／又は装置グループ識別子情報に基づいて、第１伝送リソースセットから第１伝送リソースを決定し、異なる端末装置の選択した伝送リソースは異なり、これにより、複数の端末装置のフィードバックリソース間の伝送衝突を回避することができる。
【手続補正４】
【補正対象書類名】明細書
【補正対象項目名】０１５８
【補正方法】変更
【補正の内容】
【０１５８】
選択肢として、本願の実施例では、前記通信ユニット６１０は更に、前記通信ユニットが前記第１端末装置に第１指示情報を送信することに用いられ、前記第１指示情報は前記第１伝送リソースを示すことに用いられる。
【手続補正５】
【補正対象書類名】明細書
【補正対象項目名】０１７４
【補正方法】変更
【補正の内容】
【０１７４】
選択肢として、本願の実施例では、前記通信ユニット７１０は更に、前記第１端末装置に第２指示情報を送信することに用いられ、前記第２指示情報は第１伝送リソースセットにおける第１伝送リソースのインデックスを示すことに用いられ、前記第１伝送リソースは前記第１端末装置がサイドリンク伝送チャネルを介して前記第２端末装置に前記フィードバックメッセージを送信することに用いられる。
【手続補正６】
【補正対象書類名】特許請求の範囲
【補正対象項目名】全文
【補正方法】変更
【補正の内容】
【特許請求の範囲】
【請求項１】
通信方法であって、
第１端末装置が第２端末装置から送信された第１サイドリンク伝送チャネルを受信し、前記第１サイドリンク伝送チャネルは第１メッセージを伝送することに用いられることと、
前記第１メッセージに応答して、前記第１端末装置が前記第２端末装置に第２サイドリンク伝送チャネルを送信し、前記第２サイドリンク伝送チャネルは前記第１メッセージのフィードバックメッセージである第２メッセージを伝送することに用いられることと、を含むことを特徴とする通信方法。
【請求項２】
前記第１端末装置が前記第２端末装置に第２サイドリンク伝送チャネルを送信することは、
前記第１端末装置が第１伝送リソースを決定することと、
前記第１端末装置が前記第１伝送リソースにおいて前記第２端末装置に前記第２サイドリンク伝送チャネルを送信することと、を含むことを特徴とする請求項１に記載の方法。
【請求項３】
前記第１端末装置が第１伝送リソースを決定することは、
前記第１端末装置の識別子、
第１端末装置グループのグループ識別子、
前記第２端末装置が送信した、前記第１伝送リソースを示すための第１指示情報、
予め設定された情報、のうちの少なくとも１つに基づいて、前記第１端末装置が前記第１伝送リソースを決定し、前記第１端末装置グループは前記第１端末装置と前記第２端末装置を含む端末装置グループであることを含むことを特徴とする請求項２に記載の方法。
【請求項４】
前記第１端末装置が第１伝送リソースを決定することは、
前記第１端末装置が第１伝送リソースセットを取得することと、
前記第１端末装置が前記第１伝送リソースセットから前記第１伝送リソースを決定することと、を含むことを特徴とする請求項２に記載の方法。
【請求項５】
前記第１端末装置が前記第１伝送リソースセットから前記第１伝送リソースを決定することは、
前記第１端末装置の識別子、
前記第１端末装置グループのグループ識別子、
前記第２端末装置が送信した第２指示情報、のうちの少なくとも１つに基づいて、前記第１端末装置が前記第１伝送リソースセットから前記第１伝送リソースを決定することを含むことを特徴とする請求項４に記載の方法。
【請求項６】
前記第２指示情報は第１端末装置グループのグループ識別子情報を含むことを特徴とする請求項５に記載の方法。
【請求項７】
前記第１端末装置は、前記第１メッセージを受信すると同時に第２指示情報を受信することを特徴とする請求項５又は６に記載の方法。
【請求項８】
前記第１端末装置の識別子は前記第１端末装置グループにおける前記第１端末装置のメンバー識別子であり、又は、前記第１端末装置の識別子は前記第１端末装置のセル無線ネットワーク一時識別子である請求項５に記載の方法。
【請求項９】
前記第１伝送リソースセットはプロトコルに従って前記第１端末装置に予め設定したものであることを特徴とする請求項４又は５又は８に記載の方法。
【請求項１０】
前記第１伝送リソースセットにおけるリソースは同じ時間ユニット内に位置することを特徴とする請求項４又は５又は８又は９に記載の方法。
【請求項１１】
前記第１指示情報は物理サイドリンク制御チャネル（ＰＳＣＣＨ）又は物理サイドリンク共有チャネル（ＰＳＳＣＨ）に搬送されることを特徴とする請求項３に記載の方法。
【請求項１２】
前記第２指示情報は物理サイドリンク制御チャネル（ＰＳＣＣＨ）又は物理サイドリンク共有チャネル（ＰＳＳＣＨ）に搬送されることを特徴とする請求項５又は８又は９又は１０に記載の方法。
【請求項１３】
前記第２メッセージは肯定応答（ＡＣＫ）／否定応答（ＮＡＣＫ）情報、チャネル品質指示情報、チャネル状態情報、ビーム指示情報、プレコーディングマトリックス指示情報、ランクインジケータ又は電力情報のうちの少なくとも１つを含むことを特徴とする請求項１〜５又は８〜１２のいずれか１項に記載の方法。
【請求項１４】
前記第２サイドリンク伝送チャネルは、前記第２メッセージを搬送する１つのシーケンスを伝送することに用いられることを特徴とする請求項１〜５又は８〜１３のいずれか１項に記載の方法。
【請求項１５】
前記第１サイドリンク伝送チャネルはユニキャスト又はグループキャスト方式で送信されることを特徴とする請求項１〜５又は８〜１３のいずれか１項に記載の方法。
【請求項１６】
端末装置であって、請求項１〜１５のいずれか１項に記載の方法を実行することに用いられることを特徴とする端末装置。
【国際調査報告】
2022500907.tif 000013
2022500907.tif 000014
2022500907.tif 000015
2022500907.tif 000016
2022500907.tif 000017
2022500907.tif 000018